【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
親和性によってターゲットを絞ったカリキュラムを構築するためのコンピュータ実装方法であって、
モバイルデバイスのユーザ・インタフェースから第１アンカー単語の選択を受信する工程と、
複数の単語を有する言語データベース中の複数の単語ペアについて複数の依存親和性を定義する工程と、
前記複数の単語ペアの複数の単語ペア関係に基づいて前記複数の依存親和性の少なくともいくつかについての複数の依存親和性関数を定義する工程であって、
前記複数の単語ペア関係が、共有される語根、共有される部首、共有される音声学的な音、共有される音素論的な音、および共有される韻律、のうちの少なくとも２つを含み、
前記複数の依存親和性関数は、より新しいソースにおいて共有されるコンテキストを有する単語ペアに対して、より古いソースにおいて共有されるコンテキストを有する単語ペアよりも大きい重みを与える、工程、と、
前記複数の依存親和性関数と前記第１アンカー単語とを使用して、正の依存親和性を少なくとも１つ有する複数の第１アンカー単語ペアと複数の第１重みとを導出する工程と、
前記導出された複数の第１アンカー単語ペアと複数の第１重みとを、関連する複数の依存親和性と共に親和性知識ライブラリに保存する工程と、
前記親和性知識ライブラリに保存された前記導出された複数の第１アンカー単語ペアと複数の第１重みとに応じて、前記モバイルデバイスの前記ユーザ・インタフェースに対して、第１単語ポンドとして前記導出された複数の第１アンカー単語ペアを提供する工程であって、より大きい重みを有する単語ペアには、より小さい重みを有する単語ペアよりも大きいサイズが与えられる、工程と、
前記ユーザ・インタフェースから前記単語ポンドにおける第２アンカー単語の選択を受信する工程と、
前記複数の依存親和性関数と前記第２アンカー単語とを使用して、前記複数の単語ペア関係のうちの少なくとも１つ有する複数の第２アンカー単語ペアと複数の第２重みとを導出する工程と、
新しい材料に重点を置くべく、前記第２アンカー単語の重みを低減する工程と、
前記導出された複数の第２アンカー単語ペアと複数の第２重みとを、関連する複数の依存親和性と共に前記親和性知識ライブラリに保存する工程と、
前記親和性知識ライブラリに保存された前記導出された複数の第２アンカー単語ペアと複数の第２重みとに応じて、前記モバイルデバイスの前記ユーザ・インタフェースに対して、第２単語ポンドとして前記複数の第２アンカー単語ペアを提供する工程であって、より大きい重みを有する単語ペアには、より小さい重みを有する単語ペアよりも大きいサイズが与えられる、工程と
をプロセッサ上で実行することを含むコンピュータ実装方法。
【請求項２】
前記複数の依存親和性関数は、前記言語データベースでの共起の数と、前記共起を含むソースの発行日付とに応じて、単語ペアの好ましさの重みを高くする、請求項１に記載のコンピュータ実装方法。
【請求項３】
前記複数の単語ペア関係が、文コロケーションの確率、段落コロケーションの確率、および選択された単語数内でのコロケーションの確率、のうちの少なくとも１つをさらに含む、請求項１に記載のコンピュータ実装方法。
【請求項４】
対応する複数の依存親和性に応じて、前記導出された複数の単語ペアについて複数の単語ペア親和性を導出する工程を前記プロセッサ上で実行することをさらに含む、請求項１に記載のコンピュータ実装方法。
【請求項５】
前記親和性知識ライブラリ中の単語を関連する複数の単語ペアに関連付ける工程と、
前記関連する複数の単語ペアを前記複数の単語ペア親和性に応じてランク付けする工程と
を前記プロセッサ上で実行することをさらに含む、請求項４に記載のコンピュータ実装方法。
【請求項６】
前記言語データベース中の複数の単語について複数の独立親和性を定義する工程と、
前記言語データベース中の前記複数の単語の複数の単語属性に基づいて、前記複数の独立親和性の少なくともいくつかについての複数の独立親和性関数を定義する工程であって、前記複数の独立親和性関数は、より新しいソースに係る単語に対して、より古いソースに係る単語よりも大きい重みを与える、工程と、
前記複数の独立親和性関数を使用して、少なくとも１つの正の独立親和性と第３重みとを有する複数の単語を導出する工程と、
前記導出された複数の単語を少なくとも１つの正の独立親和性と第３重みと共に前記親和性知識ライブラリに保存する工程と、
前記親和性知識ライブラリに保存された少なくとも１つの正の独立親和性と第３重みとを有する前記導出された複数の単語に応じて、前記ユーザ・インタフェースに対して、第３単語ポンドとして独立親和性を有する前記導出された複数の単語を提供する工程であって、より大きい重みを有する単語には、より小さい重みを有する単語よりも大きいサイズが与えられる、工程と、
前記単語ポンドからアンカー単語の選択を受信する工程と
を前記プロセッサ上で実行することをさらに含む、請求項１に記載のコンピュータ実装方法。
【請求項７】
複数の生徒親和性を含むプロファイルを受け取る工程と、
前記複数の生徒親和性および前記複数の独立親和性に応じて、前記親和性知識ライブラリ中の複数の単語を選択する工程と、
前記選択された複数の単語に応じて、前記プロファイルのための練習問題を構築する工程と、
前記プロファイルに対応するユーザ・インタフェースに対して前記練習問題を提供する工程と
を前記プロセッサ上で実行することをさらに含む、請求項６に記載のコンピュータ実装方法。
【請求項８】
対応する複数の依存親和性に応じて、前記導出された複数の第１アンカー単語ペアについて複数の単語ペア親和性を導出する工程と、
前記複数の単語ペア親和性に応じて、前記選択された複数の単語に関連する複数の第１アンカー単語ペアを選択する工程と、
前記選択された複数の第１アンカー単語ペアに応じて、前記プロファイルのための前記練習問題に追加の複数の単語を組み込む工程と
を前記プロセッサ上で実行することをさらに含む、請求項７に記載のコンピュータ実装方法。
【請求項９】
複数の生徒からなるクラスに関連する練習問題結果の履歴アーカイブに応じて、前記複数の生徒親和性の少なくとも１つに値を割り当てる工程を前記プロセッサ上で実行することをさらに含む、請求項７に記載のコンピュータ実装方法。
【請求項１０】
複数の生徒からなるクラスのうちの１人の生徒が前記練習問題を完了したとき、前記練習問題の練習問題結果に応じて、前記複数の生徒親和性のうちの少なくとも１つの値を更新する工程を前記プロセッサ上で実行することをさらに含む、請求項７に記載のコンピュータ実装方法。
【請求項１１】
前記複数の生徒親和性に応じて、前記練習問題について練習問題親和性を導出する工程と、
前記練習問題を、前記導出された練習問題親和性と共に、前記プロファイルに関連する複数の練習問題からなるデータベースに保存する工程と
を前記プロセッサ上で実行することをさらに含む、請求項７に記載のコンピュータ実装方法。
【請求項１２】
各練習問題の練習問題親和性に応じて、複数の練習問題からなる前記データベースについてランク順にする工程と、
ランク順に応じて、複数の練習問題からなる前記データベースのサブセットを選択する工程と、
複数の練習問題からなる前記データベースの前記サブセットを、前記プロファイルに関連するユーザ・インタフェースに対して提供する工程と
を前記プロセッサ上で実行することをさらに含む、請求項１１に記載のコンピュータ実装方法。